(57)【要約】【課題】  開閉可能な表示部を持ち、収納部側壁に音響装置から発生した音が放出される放音孔と切欠き部が設けられ、表示部側面に溝が設けられることにより、外観上隙間を大きくすることなく、表示部を収納した状態でも、より大きな音をユーザーが聞くことが可能な電子機器を提供する。【解決手段】  表示部の側面に設けられた溝部は、放音孔から放出された音を切り欠き部に導く切り欠き部側に開口を有する貫通孔であることを特徴とする。【選択図】  図５
2019045786.tif 000002
【特許請求の範囲】
【請求項１】
本体部と、前記本体部に対して開閉可能な表示部と、前記表示部を収納可能な収納部と、前記本体部の内部に収納された音響装置と、前記収納部の外縁部に設けられた放音孔と、前記表示部が前記収納部に収納された状態にて、前記放音孔に対向する表示部の外縁部に設けられ、前記放音孔に対向する方向に前記表示部の外観側に比べて前記放音孔から離れた前記放音孔に向かって凹形状の第１の溝部と、前記収納部の外縁部に設けられ、前記第１の溝部が露出する位置まで切り欠かれた切り欠き部と、を有する電子機器であって、
前記第１の溝部は、前記放音孔から放出された音を前記切り欠き部に導く前記切り欠き部側に開口を有する貫通孔であることを特徴とする電子機器。
【請求項２】
前記表示部は前記本体部に対して回転操作可能であり、前記表示部の反転状態にて前記収納部に収納可能であり、
前記表示部が反転して前記収納部に収納され且つ前記表示部の表示面が視認できない状態において、前記放音孔に対向する表示部の外縁部に設けられ、前記放音孔に対向する方向に前記表示部の外観側に比べて前記放音孔から離れた前記放音孔に向かって凹形状の第２の溝部を備え、
前記第２の溝部は、前記放音孔から放出された音を前記切り欠き部に導く前記切り欠き部側に開口を有する貫通孔である請求項１に記載の電子機器。
【請求項３】
前記表示部の表示面が視認できる状態で前記表示部が前記収納部に収納されたときの前記第１の溝部の前記放音孔に対する離間量が、前記表示部の表示面が視認できない状態で前記表示部が前記収納部に収納されたときの前記第２の溝部の前記放音孔に対する離間量より大きい請求項１又は２に記載の電子機器。
【請求項４】
前記切り欠き部に対向する表示部の外縁部に前記切り欠き部に向かって凸形状の凸部が設けられており、
前記凸部は、前記第１の溝部と前記第２の溝部の間に設けられている請求項１乃至３の何れか一項に記載の電子機器。
【請求項５】
前記凸部の高さは、前記第１の溝部又は前記第２の溝部の高さよりも高い請求項１乃至４の何れか一項に記載の電子機器。
【請求項６】
前記放音孔と対向する前記第１の溝部の壁面が、前記切り欠き部に向けて前記放音孔から放出された音を反射する反射部を有する請求項１乃至５の何れか一項に記載の電子機器。
【請求項７】
前記凸部は、ユーザーが前記表示部の開閉時の指掛り部である請求項１乃至６の何れか一項に記載の電子機器。
【発明の詳細な説明】
【技術分野】
【０００１】
本発明は、デジタルスチルカメラやデジタルビデオカメラである撮像装置、複写機、レーザビームプリンタ、インクジェットプリンタ、等の電子機器に関する。
【０００２】
特に、開閉可能な表示部ユニットと、スピーカー等の音響装置を有する電子機器に関する。
【背景技術】
【０００３】
従来、デジタルカメラは本体背面側に表示部を有している。
【０００４】
そして、ヒンジ機構により、表示部を開閉及び回転可能な表示部ユニットとして構成することで、ユーザーが様々な角度にて撮影可能となる。
【０００５】
よって、未使用時には本体側の収納部に収納可能としているものがある。
【０００６】
又、ユーザーがデジタルカメラ本体を把持した際に、表示部ユニットと隣接したデジタルカメラ本体の上よりに親指を置いて把持可能とする把持部が設けられていることがある。
【０００７】
把持部に操作部材を配置すると、ユーザーが把持した際に誤操作してしまうため、操作部等は配置されず、把持部の内部には空間が存在しがちである。
【０００８】
そして、その空間を有効に活用するためスピーカー等の音響装置を配置することがある。
【０００９】
しかしながら、例えば、スピーカーを配置し、音孔を背面側へ貫通するように配置すると、把持部となっている。そのため、使用時にはユーザーが親指で塞いでしまい音を上手く放音することができなくなってしまう。
【００１０】
そのため、表示部ユニット側の表示部ユニット収納部の壁面に放音孔を設け、表示部ユニットと収納部との隙間から放音することが考えられる。
【００１１】
スピーカーからの音を、隙間を設けることでヒンジ部へと導くものが提案されている（特許文献１）。
【００１２】
この提案では、スピーカーの音を放音孔が設けられた面の反対側へと、ヒンジ部との隙間を通して放音可能としている。
【００１３】
また、把持部を凸形状とし、その側面に放音孔を設けることにより、把持部と放音を両立したものが提案されている（特許文献２）。
【００１４】
この提案では、凸部にユーザーが親指を置いても放音孔が側面にあるため、親指でふさぐことがない。
【先行技術文献】
【特許文献】
【００１５】
【特許文献１】特許第５３９８０４２公報
【特許文献２】特許第０３９８０３９４公報
【発明の概要】
【発明が解決しようとする課題】
【００１６】
しかしながら、特許文献１では、隙間を利用して音を導いている。
【００１７】
そのため、音をより大きくするためには隙間を大きくしなければならず、外観上好適ではない。
【００１８】
特許文献２では、音をより大きく導くことが可能となっているが、凸形状を設けなければならず、電子機器のサイズが大きくなり、又、外観上の制約となってしまう。
【００１９】
本発明の目的は、隙間を大きくすることなく、電子機器のサイズを大きくせずに効率よく音響装置を配置する。
【００２０】
具体的に、開閉可能な表示部ユニットが電子機器本体に収納されている時でも、より大きな音をユーザーが聞くことができる撮像装置を提供することにある。
【課題を解決するための手段】
【００２１】
上記目的を達成するために、本発明は、本体部と、前記本体部に対して開閉可能な表示部と、前記表示部を収納可能な収納部と、前記本体部の内部に収納された音響装置と、前記収納部の外縁部に設けられた放音孔と、前記表示部が前記収納部に収納された状態にて、前記放音孔に対向する表示部の外縁部に設けられ、前記放音孔に対向する方向に前記表示部の外観側に比べて前記放音孔から離れた前記放音孔に向かって凹形状の第１の溝部と、前記収納部の外縁部に設けられ、前記第１の溝部が露出する位置まで切り欠かれた切り欠き部と、を有する電子機器であって、
前記第１の溝部は、前記放音孔から放出された音を前記切り欠き部に導く前記切り欠き部側に開口を有する貫通孔であることを特徴とする。
【発明の効果】
【００２２】
本発明によれば、外観上隙間を大きくすることなく、表示部を収納した状態でも、より大きな音をユーザーが聞くことが可能な電子機器を提供することができる。
【図面の簡単な説明】
【００２３】
【図１】本発明の電子機器としての撮像装置の外観斜視図、及び背面図である。
【図２】本発明の電子機器としての撮像装置の外観背面図、及び外観斜視図である。
【図３】表示部ユニットの外観斜視図である。
【図４】撮像装置の部分背面斜視図である。
【図５】音響装置部の部分断面図である。
【図６】音響装置部の部分断面図である。
【図７】音響装置部の部分断面図である。
【発明を実施するための形態】
【００２４】
以下、本発明の実施の形態を図面に基づいて説明する。
【００２５】
（撮像装置１の外観図）
図１（ａ）、図１（ｂ）、図２（ａ）及び図２（ｂ）はそれぞれ本実施例の一例である電子機器としての撮像装置１を正面側から見た斜視図、背面図、及び背面側から見た斜視図となっている。
【００２６】
また、図１（ａ）において、本実施例における撮像装置１の長手方向をＸ、高さ方向をＹ、厚み方向をＺと規定する。
【００２７】
図１（ａ）に示すように、本実施例の撮像装置１は正面側に被写体像を形成するレンズ部２が設けられている。
【００２８】
形成された被写体像は、不図示の撮像素子により電子データに変換される。
【００２９】
不図示の制御基板上に実装された不図示のＣＰＵが、前述の変換された電子データを不図示のメモリに保存している。
【００３０】
撮像中の被写体像を後述の表示部９に表示する等、電子機器としての撮像装置としての様々な制御をする。
【００３１】
外装カバー４は、撮像装置１の本体部である。
【００３２】
また、撮像装置１の右側正面部にグリップ５が設けられており、ユーザーがグリップ５を握ることで撮像装置１をしっかりと把持することが可能となる。
【００３３】
よって、不用意に落下させてしまうことを防止している。
【００３４】
撮像装置１の外装カバー４の上面部には、操作することで撮影動作を開始するレリーズボタン３が設けられている。
【００３５】
さらに、回転させることにより、絞り値優先自動露出モード、シャッター速度優先自動露出モードが設けられている。
【００３６】
また、絞り値やシャッター速度をユーザーが設定するマニュアル露出モード、動画撮影モードといった撮影モードを切り替え可能なモードダイアル６が設けられている。
【００３７】
図１（ｂ）に示すように、撮像装置１の背面側には、押下する。
【００３８】
押下することで、例えばメニュー画面や、再生モードへの切替え等、それぞれに割り当てられた機能を呼び出すことが可能となる操作ボタン１２が設けられている。
【００３９】
その隣には、表示部９が設けられ、上記のメニュー画面、及び再生モード時の画像や、その他様々な情報が表示される。
【００４０】
操作ボタン１２により、メニュー画面が選択され、表示部９にメニューの各項目が表示された際に、各項目を選択可能とする円環状の方向ボタン１３が設けられている。
【００４１】
そして、その内側には選択された項目を実行するための、決定ボタン１４が設けられている。
【００４２】
そして、中央上面部にファインダ１５が配置されており、ユーザーがファインダ１５の窓部を覗きながら撮影することができる。
【００４３】
正面側に設けられた前記グリップ５の背面側上部には、背面側の把持部材１６が設けられている。
【００４４】
背面側の把持部材１６は弾性部材とＰＣの様な樹脂との一体成形にて構成されており、表面が弾性部材となっている。
【００４５】
そのため、背面側の把持部材１６に指を置いた際に、摩擦が高く滑りにくくなっている。
【００４６】
図中左側には、不図示の撮像装置１内に配置されたヒンジユニット１０によりＹ方向の第１の軸１０ａ周りに回転可能である。
【００４７】
つまり、前記撮像装置１に対して開閉自在に軸支されている表示部ユニット８が設けられている。
【００４８】
表示部ユニット８には、表示部９が設けられ、撮像装置１の収納部１１に収納されており、ユーザーが本体部４に対して開閉可能な表示部９を視認可能となっている。
【００４９】
さらに、表示部ユニット８は、第１の軸１０ａに略直交するＸ方向の第２の軸１０ｂ周りに回転可能に、ヒンジユニット１０に軸支されている。
【００５０】
ここで、表示部ユニット８の中心が第２の軸１０ｂと略一致するように配置されている。
【００５１】
また、収納部１１の前記操作ボタン１２側にある側壁１１ａには切り欠き部７が設けられている。そして、ユーザーが指を入れて、収納状態にある表示部ユニット８を前記第１の軸１０ａ周りに回転させて開くことが可能となっている。
【００５２】
そして、切欠き部７は、表示部ユニット８が収納状態にある時の第２の軸１０ｂをＹ方向へまたぐように設けられている。
【００５３】
つまり、表示ユニット８をヒンジユニット１０が軸支している第２の軸１０ｂのＸ方向への略延長上に切欠き部７が位置している。
【００５４】
そのため、ユーザーが切欠き部７に指を入れて表示部ユニット８を開く際には、前ヒンジユニット１０に軸支されている部分に、回転軸である第１の軸１０ａと略直交する方向へ力が掛ることになる。
【００５５】
それにより、力の伝達のロスが少なく、表示部ユニット８をスムーズに開くことができる。
【００５６】
（回転軸を２つ有するヒンジユニット１０の説明）
上述の、回転軸を２つ有するヒンジユニット１０により、ユーザーは所望の向きから前記表示部９を見て撮影することが可能となっている。
【００５７】
例えば、図２（ｂ）に示すように、前記表示部ユニット８を前記第１の軸１０ａ周りに回転させる。
【００５８】
さらに、表示部９の向きを上向きになるように第２の軸１０ｂ周りに回転させることにより、前記撮像装置１の上側からユーザーが覗きこむように撮影することが可能となっている。
【００５９】
また、第２の軸１０ｂ周りに前記表示部ユニット８を回転させて、図２（ａ）に示すように前記表示部９を反転させた状態で前記収納部１１に収納可能となっている。
【００６０】
そのため、未使用時には表示部９を撮像装置１の本体側へ向けた状態で収納することで、表示部９への傷付きや汚れ等を防ぐことができる。
【００６１】
（表示部ユニット８の先端部の斜視図）
図３は、本実施例における、表示部ユニット８の先端部の斜視図であり、収納部１１の前記側壁１１ａと対向する側を示している。
【００６２】
図３に示すように、表示部ユニット８先端には、先端の面よりＸ方向へ凹形状となっている第１の溝部８ａが設けられている。
【００６３】
また、先端の外観面と前記第１の溝部８ａとのＸ方向の間に位置する凹形状の第２の溝部８ｂが設けられている。
【００６４】
表示部９は本体部４（外装カバー）に対して回転操作可能であり、表示部９の反転状態にて収納部１１に収納可能である。
【００６５】
第１の溝部８ａは、放音孔に対向するＸ方向に表示部の外観側に比べて放音孔に対向するＸ方向に放音孔から離れた放音孔に向かって凹形状である。
【００６６】
切り欠き部７は、収納部１１の外縁部１１ａに設けられ、第１の溝部８ａが露出する位置まで切り欠かれている。
【００６７】
第１の溝部は、放音孔から放出された音を切り欠き部に導く切り欠き部側に開口を有する貫通孔である。
【００６８】
第２の溝部８ｂは、放音孔に対向するＸ方向に表示部の外観側に比べて放音孔に対向するＸ方向に放音孔から離れた放音孔に向かって凹形状である。
【００６９】
切り欠き部７は、収納部１１の外縁部１１ａに設けられ、第２の溝部８ｂが露出する位置まで切り欠かれている。
【００７０】
第２の溝部８ｂは、放音孔から放出された音を切り欠き部に導く切り欠き部側に開口を有する貫通孔である。
【００７１】
表示部の表示面が視認できる状態で表示部が収納部に収納されたときの第１の溝部の放音穴に対する離間量を第１の離間量とする。
【００７２】
表示部の表示面が視認できない状態で表示部が収納部に収納されたときの第２の溝部の放音穴に対する離間量を第２の離間量とする。
【００７３】
第１の離間量は第２の離間量より大きい。
【００７４】
表示部ユニット８の表示部側と、背面側の外装カバーを固定するビス１００が第１の溝部８ａ、及び第２の溝部８ｂの中に配置されている。
【００７５】
それぞれの溝部の底面から一段凹形状が設けられた場所にビス止めされている。
【００７６】
そのため、ビス１００がそれぞれの底面部から凸にならない。
【００７７】
また、前記第１の溝部８ａと隣接し、第２の軸１０ｂをまたぎＹ方向へ延設するように、指掛り凸部８ｃが前記表示部９側、及び反対側に１対設けられている。
【００７８】
切欠き部７は、表示部ユニット８が収納状態にある時の本体背面側に位置する指掛り凸部８ｃよりも、Ｚ方向に深い位置まで切り欠かれている。
【００７９】
そのため、ユーザーが表示部ユニット８を第１の軸１０ａ周りに回転させようとする際に、ユーザーの指や爪がより掛かりやすくなっている。
【００８０】
また、指掛り凸部８ｃが前記表示部ユニット８の表示部９側と、その反対側に設けられている。
【００８１】
そのため、表示部ユニット８を前記第２の軸１０ｂ周りに回転させた場合でも、切欠き部７に対して略同じ位置に前記指掛り凸部８ｃが配置されることになる。
【００８２】
そのため、第２の軸１０（ｂ）周りの回転に対する前記表示部ユニット８の向きにかかわらない。
【００８３】
よって、ユーザーは表示部ユニット８の収納状態で、表示部９の開閉時である指掛り凸部８ｃに指、又は爪を引っかけることが可能である。
【００８４】
表示部ユニット８の収納状態で、表示部９の開閉時である指掛り凸部８（ｃ）のＸ方向の高さは、前記第１の溝部又は前記第２の溝部のＸ方向の高さよりも高い。
【００８５】
（側壁１１ａ周囲の拡大図）
図４は本実施例における、図２（ｂ）の前記側壁１１ａ周囲の拡大図である。
【００８６】
図４に示すように、切り欠き部７のＺ方向における前記収納部１１の底面との間に係止部材１８が配置されている。
【００８７】
Ｘ方向すなわち収納部１１側へ飛び出すように不図示のバネ等の弾性部材により付勢されている。
【００８８】
そして、表示部ユニット８は、図３における収納部１１の底面側に位置する第１の溝部８ａの側壁に前記係止部材１８が係止する。
【００８９】
よって、収納部１１内に保持されている。係止部材１８の第１の溝部８ａと接する先端部は不図示の滑らかな曲面形状となっている。
【００９０】
そのため、ユーザーが表示部ユニット８を前記ヒンジユニット１０の第１の軸１０ａ周りに回転させて前記収納部１１から取りだす。
【００９１】
その際、係止部材１８が第１の溝部８ａから滑り出し、撮像装置本体内部側へと摺動することで、係止状態が解除される。
【００９２】
また、図１（ｂ）、及び図２（ａ）のように、係止部材１８を前記撮像装置１の背面視において指掛り凸部８ｃにＹ方向で隣接する位置に配置する。
【００９３】
よって、表示部ユニット８の前記第２の軸１０（ｂ）の近くに位置することになる。
【００９４】
つまり、表示ユニット８を前記ヒンジユニット１０が軸支している第２の軸１０ｂのＸ方向への略延長上に係止部材１８が位置している。
【００９５】
そのため、表示部ユニット８が前記係止部材１８により係止状態にある時に、係止部材１８が不図示のバネ等から受けるＸ方向への付勢力の大部分を、前記ヒンジユニット１０が受け止めることができる。
【００９６】
それにより、表示部ユニット８が、ヒンジユニット１０に前記第２の軸１０ｂで軸支されている部分を中心にＺ方向周りに大きく傾くことを防止している。
【００９７】
また、係止部材１８は指掛り凸部８ｃのＹ方向上側、つまり背面側の把持部材１６側に隣接している。
【００９８】
さらに、切欠き部７が第２の軸１０（ｂ）をまたいでＹ方向上側よりに設けられ、前記係止部材１８をＺ方向内部に配置している。
【００９９】
それにより、操作ボタン１２や、方向キー１３のスペースを阻害することなく、撮像装置の本体部１が大きくなることを防いでいる。
【０１００】
背面側の把持部材１６と隣接する側壁１１ａ（外縁部）には放音孔１７が設けられている。
【０１０１】
背面側の把持部材１６の内部には、後述する円形のスピーカー２０が配置されており、ユーザーが操作ボタン１２を押下した際の操作音や、動画再生した際の音声等がスピーカー２０から発生する。
【０１０２】
そして、発生した音が後述する内部の音路（貫通路）１９を通って、放音孔１７から放出されることにより、ユーザーは音を聞くことができる。
【０１０３】
（撮像装置の内部の構造図）
図５（ａ）、図５（ｂ）は本実施例における、図１（ｂ）、及び図２（ａ）の部分断面図である。
【０１０４】
図５（ａ）は、図１（ｂ）において放音孔１７付近を撮像装置本体１の底面側からＹ方向に見た断面図である。
【０１０５】
図５（ａ）に示すように、背面側の把持部材１６のＺ方向直下に前記スピーカー２０が配置されている。
【０１０６】
背面側の把持部材１６とスピーカー２０の間に、側壁１１ａからＸ方向へ延設し前記放音孔１７の壁と接続された受け部１１ｂが設けられている。
【０１０７】
受け部１１ｂは、スピーカー２０とＺ方向へ略同軸上に略円形の貫通穴が設けられている。
【０１０８】
その貫通穴周辺の前記受け部１１ｂと、前記スピーカー２０の間に略環状の弾性部材２１が配置されている。
【０１０９】
又、弾性部材２１とスピーカー２０との間には不織布のような防塵性のあるシート部材２２が前記スピーカー２０を覆うように配置されている。
【０１１０】
外部からのゴミ等がスピーカー２０内部へと侵入しないように配慮されている。
【０１１１】
そして、スピーカー２０は、弾性部材２１を受け部１１ｂに向かって押しつぶすように保持部材２３にて前記受け部１１ｂに保持されている。
【０１１２】
ここで、スピーカー２０を円形としているが、どのような形状でもよく、しっかりと保持ができ、弾性部材の形状についてもスピーカー２０の放音可能な形状であれば環状でなくてもよい。
【０１１３】
背面側の把持部材１６の前記スピーカー２０にＺ方向へ対向する部分には、斜面、又は曲面の第１の反射部１６ａが設けられている。
【０１１４】
そして、スピーカー２０から出力された音が、第１の反射部１６ａにて前記放音孔１７の方向へ反射されるようになっている。
【０１１５】
反射された音は、受け部１１ｂと前記背面側把持部材１６で構成された音路１９を通り、放音孔１７から第１の溝部８（ａ）へと向けて出力される。
【０１１６】
図５（ｂ）は、表示部９をユーザーが視認できる状態である図１（ｂ）の、同一の方向から見た前記放音孔１７付近の断面図である。
【０１１７】
第１の溝部８（ａ）を図１（ｂ）におけるＹ方向上方から前記切り欠き部７へ向けての断面図である。
【０１１８】
図５（ｂ）に示すように、上記のごとく前記放音孔１７から出力された音の一部は、前記収納部１１と前記表示部ユニット８との隙間から漏れる。
【０１１９】
しかし、第１の溝部８ａと側壁１１ａにより、上述の隙間よりも大きな空間が構成され、前記切欠き部７へと通じているため、より大きな音が前記切欠き部７から出力される。
【０１２０】
図６は、図１（ｂ）から前記表示部９を反転させた状態である図２（ａ）の、同一の方向から見た前記放音孔１７付近の断面図である。
【０１２１】
第１の溝部８（ｂ）を図２（ａ）におけるＹ方向上方から前記切り欠き部７へ向けての断面図である。
【０１２２】
図６に示すように、第２の溝部８（ｂ）が前記放音孔１７の対向する位置にきている。
【０１２３】
放音孔１７から出力された音の一部は、収納部１１と表示部ユニット８との隙間から漏れる。
【０１２４】
しかし、第２の溝部８ｂと側壁１１ａにより、上述の隙間よりも大きな空間が構成され、切り欠き部７へと通じているため、より大きな音が前記切欠き部７から出力される。
【０１２５】
ここで、第１の溝部８（ａ）が放音孔１７に対向している状態が、第２の溝部８（ｂ）が前記放音孔１７に対向している状態よりも、より大きな空間が構成されている。
【０１２６】
そのため、ユーザーは図５（ｂ）の状態の方がより大きな音を聞くことができる。
【０１２７】
つまり、前記表示部ユニット８の収納状態では、図５（ｂ）の前記表示部９を視認可能な状態の方が、ユーザーはより大きな音を聞くことが可能となっている。
【０１２８】
そのため、ユーザーは動画再生時の時や、撮影設定時のような時はより大きな音声、操作音を聞くことができる。
【０１２９】
しかしながら、ユーザーが前記ファインダ１５を覗きながらの撮影時は、顔が前記放音孔１７に近づく。
【０１３０】
そのため、レリーズボタン２の押下時の操作音が、動画再生時ほどの音量であると不快に感じることがある。
【０１３１】
そこで、表示部ユニット８を前記第２の軸１０ｂ周りに反転させ、収納部１１へ収納することで、レリーズボタン３押下時の操作音は、動画再生時よりも小さな音となる。
【０１３２】
本実施例によると、ユーザーは動画再生時にはより大きな音声を聞くことができる。
【０１３３】
よって、ファインダ１５を使用して撮影する際は、その都度音量を調節せずに、前記レリーズボタン３の操作音をある程度抑えた音量とすることが可能となっている。
【０１３４】
（本実施例の一例）
図７は本実施例の一例であり、図５（ｂ）と同様の断面図である。
【０１３５】
図７に示すように第１の溝部８（ａ）のＹ方向上側の壁面に、第２の反射部３０が設けられている。
【０１３６】
反射部３０は、放音孔１７のＹ方向上側端面部と対向する位置より、第１の溝部８（ａ）のＸ方向の底面側へ向けて、前記切欠き部７へ向かって徐変した斜面となっている。
【０１３７】
そのため、前記放音孔１７から出力された音を、前記切欠き部７へ向けて反射することができる。
【０１３８】
ここで、前記第２の反射部３０は斜面としているが、前記放音孔１７から出力された音を、前記切欠き部７へ向けて反射することができれば、曲面でもよい。
【０１３９】
それにより、より効率よく前記放音孔１７から出力された音を、前記切欠き部７へ導くことができる。
【０１４０】
本実施例において、２軸のヒンジユニットを有する表示部ユニットについて説明したが、１軸のヒンジユニットでもよく、表示部ユニットが可動するもの全般についても適応できる。
【符号の説明】
【０１４１】
１  撮像装置
２  レンズ部
３  レリーズボタン
４  外装カバー
５  グリップ
６  モードダイアル
７  切欠き部
８  表示部ユニット
８ａ  第１の溝部
８ｂ  第２の溝部
８ｃ  指掛凸部
９  表示部
１０  ヒンジユニット
１０ａ  第１の軸
１０ｂ  第２の軸
１１  収納部
１２  操作ボタン
１３  方向ボタン
１４  決定ボタン
１５  ファインダ
１６  背面側把持部
１６ａ  第１の反射部
１７  放音孔
１８  係止部材
１９  音路
２０  スピーカー
２１  弾性部材
２２  防塵部材
２３  保持部材
３０  第２の反射部
１００  ネジ
【図１】
2019045786.tif 000003
【図２】
2019045786.tif 000004
【図３】
2019045786.tif 000005
【図４】
2019045786.tif 000006
【図５】
2019045786.tif 000007
【図６】
2019045786.tif 000008
【図７】
2019045786.tif 000009